(57)【要約】      （修正有）【課題】パネル体の取付け施工が簡便な間仕切パネル装置を提供すること。【解決手段】天井Ｒに設けられた上部パネル支持体２と、床面Ｆに設けられた下部パネル支持体３との間に亘って、パネル体４を取付けしてなる間仕切パネル装置であって、前記パネル体４は、矩形の板材４ｂと、前記板材４ｂの上端部に取着された上部縁材６と、を備え、前記上部縁材６には、上方に延び、前記上部パネル支持体２に上下方向に形成され、少なくとも下向きに開放された開口部に下方から挿入される立上がり片が設けられており、前記下部パネル支持体３に設けられ前記パネル体４ｂの下端部を載置可能な下部載置部から、前記上部パネル支持体２に設けられた開口部の開口下端部までの上下寸法Ｌ２よりもパネル体４の上下寸法Ｌ１が大きい。【選択図】図３
2017089229.tif 000002
【特許請求の範囲】
【請求項１】
天井に設けられた上部パネル支持体と、床面に設けられた下部パネル支持体との間に亘って、パネル体を取付けしてなる間仕切パネル装置であって、
前記パネル体は、矩形の板材と、前記板材の上端部に取着された上部縁材と、を備え、前記上部縁材には、上方に延び、前記上部パネル支持体に上下方向に形成され、少なくとも下向きに開放された開口部に下方から挿入される立上がり片が設けられており、
前記下部パネル支持体に設けられ前記パネル体の下端部を載置可能な下部載置部から、前記上部パネル支持体に設けられた開口部の開口下端部までの上下寸法よりもパネル体の上下寸法が大きいことを特徴とする間仕切パネル装置。
【請求項２】
前記上部パネル支持体は、天井に固定された笠木と、前記笠木の下方に設けられた支持部材と、を備え、前記開口部は、前記笠木の側面に沿って上下方向に延びた前記支持部材の起立片と、前記起立片と対向する位置に所定間隔離れて設けられた前記支持部材の対向片との間に形成され、前記対向片の下端部は、前記起立片の下端部よりも上方に設けられていることを特徴とする請求項１に記載の間仕切パネル装置。
【請求項３】
前記立上がり片は、その内面側が取着された前記板材の内面側に対して略面一であることを特徴とする請求項１または２に記載の間仕切パネル装置。
【請求項４】
前記立上がり片は、前記パネル体の幅より短寸であり、前記パネル体に少なくとも１つ取着されていることを特徴とする請求項１ないし３のいずれかに記載の間仕切パネル装置。
【請求項５】
前記上部縁材と前記支持部材との間には、スペーサが介在していることを特徴とする請求項１ないし４のいずれかに記載の間仕切パネル装置。
【請求項６】
前記板材は、透明であり、前記上部パネル支持体の外面の明度が前記上部縁材の明度に比べて低くなっていることを特徴とする請求項１ないし５のいずれかに記載の間仕切パネル装置。
【発明の詳細な説明】
【技術分野】
【０００１】
本発明は、天井と床面とに設けられたパネル支持体間に、パネルを取付けしてなる間仕切パネル装置に関する。
【背景技術】
【０００２】
建物内の部屋や空間を複数の区画に仕切って分割するために、天井から床面に亘って複数のパネルを取付けしてなる間仕切パネル装置が使用されている。このような間仕切パネル装置は、例えば、特許文献１に開示されているように、天井に固定される上部フレーム（上部パネル支持体）と、床に固定される下部フレーム（下部パネル支持体）との間に亘ってパネル体が取付けられて構成されている。詳細には、上部フレームは、天井に固定される笠木と、笠木にボルト等で固定されるとともにパネル体の上端部の内向面（後側面）に当接する上枠と、上枠に固定されるとともにパネル体の上端部の外向面（前側面）に当接する上押えと、を有し、上枠と上押えとでパネル体の上端部を保持するものである（以下、便宜上、間仕切パネル装置の前側の構造のみを説明する）。上枠は、前後方向の中央部が上方に凸となっている凹凸形状をなす底壁と、底壁の前端から起立した前壁と、前壁の上端から前方に延出した前側載置壁を有する。上枠の前壁の前面には、前方に突出する挟持部が設けられ、該挟持部は、パネル体の上端部の内面側に当接する。上枠の前側載置壁の上面には、一旦上方に突出した後、後方に屈曲する係合片が形成されている。上押えは、上枠の前側載置壁に載置される水平壁と、水平壁の前端から下方に延出した立壁と、を有する。水平壁の下面には、一旦下方に突出した後、後方に屈曲する被係合片が形成されている。この被係合片は、上枠の前側載置壁の係合片に対応しており、上押えを上枠の前側載置壁に載置して支持させる際、被係合片が係合片に係合されて、上押えが上枠に対して相対的に前方に変位することを阻んでいる。立壁の後面には、後方に突出する挟持部が設けられ、該挟持部は、パネル体の上端部の前面に当接する。パネル体の上端部は、上枠の挟持部及び上押えの挟持部によって前後から挟持される。
【先行技術文献】
【特許文献】
【０００３】
【特許文献１】特開２０１４−９４７９号公報（第５頁、第６図）
【発明の概要】
【発明が解決しようとする課題】
【０００４】
しかしながら、特許文献１にあっては、パネル体を取付ける施工過程において、パネル体が下部フレームに載置され上部フレームとの間に立て掛けられた状態では、パネル体の上端部は、その内面側が上枠の挟持部に当接されるのみで前後方向に保持されていないためパネル体が前方側に倒れてしまう虞があり、パネル体を倒れないように支えた状態で上枠に上押えを係合させて上枠及び上押えに設けられた挟持部によってパネル体の上端部を前後から挟持させていた。そのため、作業性が悪く、且つ上枠に上押えを係合させるためには、天井付近での高所作業が必要となりパネル体の取付け施工が煩雑になっていた。
【０００５】
本発明は、このような問題点に着目してなされたもので、パネル体の取付け施工が簡便な間仕切パネル装置を提供することを目的とする。
【課題を解決するための手段】
【０００６】
前記課題を解決するために、本発明の間仕切パネル装置は、
天井に設けられた上部パネル支持体と、床面に設けられた下部パネル支持体との間に亘って、パネル体を取付けしてなる間仕切パネル装置であって、
前記パネル体は、矩形の板材と、前記板材の上端部に取着された上部縁材と、を備え、前記上部縁材には、上方に延び、前記上部パネル支持体に上下方向に形成され、少なくとも下向きに開放された開口部に下方から挿入される立上がり片が設けられており、
前記下部パネル支持体に設けられ前記パネル体の下端部を載置可能な下部載置部から、前記上部パネル支持体に設けられた開口部の開口下端部までの上下寸法よりもパネル体の上下寸法が大きいことを特徴としている。
この特徴によれば、パネル体の立上がり片を開口部に対して斜め下から挿入し、立上がり片を開口部に挿入したまま当該箇所を中心としてパネル体を回動させ、パネル体の下端部を略水平に移動させて下部載置部に載置させることにより、立上がり片が開口部内に挿入された状態を保ちながらパネル体を立て掛けることができるので、施工過程において容易にパネル体の取付け施工を行うことができる。
【０００７】
前記上部パネル支持体は、天井に固定された笠木と、前記笠木の下方に設けられた支持部材と、を備え、前記開口部は、前記笠木の側面に沿って上下方向に延びた前記支持部材の起立片と、前記起立片と対向する位置に所定間隔離れて設けられた前記支持部材の対向片との間に形成され、前記対向片の下端部は、前記起立片の下端部よりも上方に設けられていることを特徴としている。
この特徴によれば、立上がり片を支持部材の起立片に当接させながら上方に移動させることにより対向片との間に形成される開口部に下方から立上がり片を挿入させることができるので、立上がり片を開口部に挿入させるための位置合わせと挿入の作業が容易になり、パネル取付けの施工性を向上させることができる。
【０００８】
前記立上がり片は、その内面側が取着された前記板材の内面側に対して略面一であることを特徴としている。
この特徴によれば、立上がり片の内側面を支持部材の起立片に当接させながら上方に移動させることによりパネル体が垂直に立ち上がるまでは板材が支持部材の起立片に接触しないので、板材の接触による破損を防ぐことができるとともに、パネル体が垂直に立ち上がった状態で立上がり片及び板材の内側面を支持部材の起立片に当接させ、起立片に沿ってパネル体を真下に下すことにより、パネル体の下端部を下部載置部に載置させることができるので、パネル体の取付け作業が容易になり、パネル取付けの施工性を向上させることができる。
【０００９】
前記立上がり片は、前記パネル体の幅より短寸であり、前記パネル体に少なくとも１つ取着されていることを特徴としている。
この特徴によれば、パネル体の上端部に設けられた立上がり片がパネル体の幅より短寸なので、立上がり片の側面部を下方から視認でき、立上がり片を開口部に挿入させるための位置合わせと挿入の作業が容易になり、パネル取付けの施工性を向上させることができる。
【００１０】
前記上部縁材と前記支持部材との間には、スペーサが介在していることを特徴としている。
この特徴によれば、スペーサによって開口部に挿入された上部縁材の移動が規制され、パネル体の浮き上がりを小さくできるので、パネル体が外れることがなくなり、耐震性を向上させることができる。
【００１１】
前記板材は、透明であり、前記上部パネル支持体の外面の明度が前記上部縁材の明度に比べて低くなっていることを特徴としている。
この特徴によれば、パネル体が取付けられた状態において、透明の板材を通して見える上部パネル支持体の明度が低いので、上部パネル支持体の構造の視認性を低下させることができ、美観を高めることができる。
【図面の簡単な説明】
【００１２】
【図１】実施例１における間仕切パネル装置を示す正面図である。
【図２】実施例１における間仕切パネル装置を示す分解斜視図である。
【図３】実施例１における両面にガラスパネルが取付けられた間仕切パネル装置を示す横断面図である。
【図４】実施例１における間仕切パネル装置の上部パネル支持体におけるガラスパネルの取付け構造を示す横断面図である。
【図５】実施例１における間仕切パネル装置の下部パネル支持体におけるガラスパネルの取付け構造を示す横断面図である。
【図６】（ａ）ないし（ｄ）は、実施例１における間仕切パネル装置のガラスパネルの取付け手順を示す横断面図である。
【図７】実施例２における片面にパネル体が取付けられた間仕切パネル装置を示す横断面図である。
【図８】（ａ）及び（ｂ）は、実施例３における間仕切パネル装置にスペーサを取付けた状態を示す横断面図である。
【図９】（ａ）は、実施例３における間仕切パネル装置にスペーサを取付けた状態を示す横断面図であり、（ｂ）及び（ｃ）は、実施例３における間仕切パネル装置のスペーサの取付け手順を示す模式図である。
【発明を実施するための形態】
【００１３】
本発明に係る間仕切パネル装置を実施するための形態を実施例に基づいて以下に説明する。
【実施例１】
【００１４】
実施例１に係る間仕切パネル装置につき、図１から図６を参照して説明する。以下、図３の画面左側を間仕切パネル装置の正面側（前方側）とし、図３の画面右側を間仕切パネル装置の背面側（後方側）として説明する。
【００１５】
間仕切パネル装置１は、例えば、学校やオフィス等の建物内の部屋や空間を複数の区画に仕切って分割するために、天井から床面に亘って複数のパネルを取付けてなるものであり、区画空間の開放感を演出するために透明のガラスパネル４（パネル体）が使用され、強度や遮音性に優れる。
【００１６】
図１及び図２に示されるように、実施例１における間仕切パネル装置１は、天井Ｒに固定される上部パネル支持体２と、床面Ｆに固定される下部パネル支持体３と、の間に複数のガラスパネル４，４，…が前後に離間させて取付けられた二重ガラスパネル構造になっている。尚、前後に離間させて取付けられるガラスパネル４，４は、同一構成であるため、間仕切パネル装置１の前方側に取付けられるガラスパネル４について説明し、後方側に取付けられるガラスパネル４についての説明を省略する。
【００１７】
左右に隣接するガラスパネル４，４，…の対向端部同士は、透明度の高い樹脂製のジョイント材（図示省略）が充填されることにより上下方向の枠を使用しなくとも左右方向の連結が可能になっている。
【００１８】
図２及び図３に示されるように、各ガラスパネル４は、２枚の透明な板ガラス４ａ，４ａを重合して強化した合わせガラスとしたパネル本体４ｂ（板材）と、該パネル本体４ｂの上端面４ｃ及び下端面４ｅに両面接着テープあるいはホットメルト接着剤５によりそれぞれ固定された上部縁材６及び下部縁材７と、から構成されている。尚、現場での取付けや施工時間を短縮するために、予め工場等においてパネル本体４ｂに上部縁材６及び下部縁材７を取付け、ガラスパネル４をユニット化しておくとよい。尚、パネル本体４ｂとしては、透明なアクリル製の板材が使用されてもよい。
【００１９】
次いで、上部縁材６について詳しく説明する。図４に示されるように、ガラスパネル４における上部縁材６は、パネル本体４ｂの上端面４ｃに両面接着テープあるいはホットメルト接着剤５により固定される側面視倒立Ｌ字状の基部材６０と、上方に向けて延びる挿入片６１ｂ（立上がり片）を有する側面視Ｌ字状の挿入部材６１と、から構成されている。尚、上部縁材６を構成する基部材６０及び挿入部材６１は、アルミ合金製の押出成形品である。
【００２０】
基部材６０は、パネル本体４ｂの上端面４ｃに両面接着テープあるいはホットメルト接着剤５により固定される水平板６０ａと、水平板６０ａの前端からパネル本体４ｂに沿って下方に向けて所定距離延びる垂下板６０ｂと、を有する。
【００２１】
水平板６０ａには、上面側に開口し、下方に向かい漸次拡張する挿入部６０ｃが長手方向に連続して形成されており、ボルト８が水平板６０ａの挿入部６０ｃに対して側面側からボルト８の頭部（図示省略）を下にした状態で挿入され、所定位置までスライド移動可能になっている。尚、挿入部６０ｃに挿入されたボルト８は、水平板６０ａの上面側の開口からボルト８の胴部が突出した状態で保持されるようになっている。
【００２２】
垂下板６０ｂは、パネル本体４ｂの前面側に沿って当接することにより、ガラスパネル４が取付けられた状態において、パネル本体４ｂに対して後方側から水平方向に応力が働いた場合にパネル本体４ｂが抜け出ないように支持できるようになっている。また、垂下板６０ｂがパネル本体４ｂの前面側に沿って当接するため、パネル本体４ｂの上端面４ｃに対して基部材６０を固定する際に、前後方向の位置合わせが行いやすくなっている。
【００２３】
また、基部材６０の長手方向及び前後方向の寸法をパネル本体４ｂの上端面４ｃの長手方向及び前後方向の寸法とそれぞれ略同寸にすることにより、基部材６０の水平板６０ａとパネル本体４ｂの上端面４ｃの間の接着面積が大きくなり、両面接着テープあるいはホットメルト接着剤５による接着力が高められている。
【００２４】
挿入部材６１は、基部材６０の水平板６０ａに直接固定される基部６１ａと、基部６１ａの後端から上方に向けて延びる挿入片６１ｂと、を有する。
【００２５】
基部６１ａには、上下方向に貫通する貫通孔６１ｄ，６１ｄが形成されており、前述した基部材６０の上面側の開口から突出したボルト８の胴部がそれぞれ挿入可能になっている。尚、基部６１ａの貫通孔６１ｄに下方から挿入されたボルト８の胴部は、貫通孔６１ｄを介してさらに基部６１ａの上面側に突出した状態になっている。
【００２６】
挿入片６１ｂは、基部６１ａの後端から上方に向けて延び、後方側の垂直面６１ｃがパネル本体４ｂの後面４ｄ及び水平板６０ａの後面と面一になるように設けられている。挿入片６１ｂの前後方向の寸法は、後述する上部挿入溝２２ｄ（開口部）の前後方向の寸法よりも小さくなっており、ガラスパネル４を斜めに傾斜させたまま挿入片６１ｂを上部挿入溝２２ｄ内に挿入できるとともに、挿入片６１ｂが上部挿入溝２２ｄ内に挿入された状態のまま、ガラスパネル４を回動させて垂直に立ち上げることができる。尚、挿入片６１ｂのたわみによりガラスパネル４を回動させてもよく、上部挿入溝２２ｄと挿入片６１ｂとの前後方向の隙間は必須ではない。また、挿入片６１ｂの上下方向の寸法は、上部挿入溝２２ｄの上下方向の寸法よりも小さくなっており、挿入片６１ｂが上部挿入溝２２ｄ内に挿入された状態のまま、ガラスパネル４を上方向に動かすことができるようになっている。
【００２７】
基部材６０と挿入部材６１の連結方法については、まず、ボルト８の頭部を下にした状態で基部材６０の水平板６０ａの挿入部６０ｃに対して側面側から挿入し、水平板６０ａの上面側にボルト８の胴部が突出した状態にする。次に、挿入部材６１の基部６１ａに設けられた貫通孔６１ｄに対して水平板６０ａの上面側に突出したボルト８の胴部を挿入し、基部６１ａの上面側にボルト８の胴部が突出した状態にする。最後に、挿入部材６１の基部６１ａの上面側に突出しているボルト８の胴部にナット９を螺合させることにより、基部材６０及び挿入部材６１を強固に締結できるようになっている。
【００２８】
また、挿入部材６１の長手方向の寸法をパネル本体４ｂの上端面４ｃの長手方向の寸法よりも短寸のものとし、少なくとも１つ（本実施例においては２つ）所定位置に設けることにより、挿入部材６１の挿入片６１ｂの側面を下方から視認でき、挿入片６１ｂを上部挿入溝２２ｄに挿入させるための位置合わせと挿入作業が容易に行えるようになっている。
【００２９】
また、基部材６０の長手方向の寸法は、パネル本体４ｂの上端面４ｃの長手方向の寸法と略同寸であり、挿入部材６１の長手方向の寸法は、パネル本体４ｂの上端面４ｃの長手方向の寸法よりも短寸であることから、ガラスパネル４が取付けられた状態では、短寸の挿入部材６１に対して応力が集中するため、基部材６０と挿入部材６１をボルト８とナット９により機械的に締結させることにより連結強度が高められている。さらに、ボルト８とナット９により直接締結される基部材６０の水平板６０ａと挿入部材６１の基部６１ａの前後方向の寸法をそれぞれパネル本体４ｂの上端面４ｃの前後方向の寸法と略同寸とすることにより、水平板６０ａと基部６１ａの接触面積を大きくし、基部材６０と挿入部材６１の連結強度が高められている。
【００３０】
次いで、下部縁材７について詳しく説明する。図５に示されるように、ガラスパネル４における下部縁材７は、パネル本体４ｂの下端面４ｅに両面接着テープあるいはホットメルト接着剤５により固定される水平板７ａと、水平板７ａの前端からパネル本体４ｂの前面に沿って上方に向けて延びる支持片７ｂと、水平板７ａの前端から下方に向けて突設される当接片７ｃと、水平板７ａの後端から下方に向けて突設される係合片７ｅと、から構成されている。尚、下部縁材７は、アルミ合金製の押出成形品である。
【００３１】
支持片７ｂは、水平板７ａの前端からパネル本体４ｂの前面に沿って上方に向けて所定距離延び、ガラスパネル４が取付けられた状態において、パネル本体４ｂに対して後方側から水平方向に応力が働いた場合にパネル本体４ｂが抜け出ないように支持できるようになっている。
【００３２】
当接片７ｃは、下部縁材７の水平板７ａの前端から下方に向けて突設され、下方に向けて後述する巾木３０側（後方側）に漸次拡張した形状をなし、当接片７ｃの下端に形成される当接面７ｄが後述する下部支持部材３２の当接面３２０ｆに上方から当接することにより、ガラスパネル４から下方向にかかる荷重と、ガラスパネル４が前方側に倒れる方向にかかる荷重を支持できるようになっており、ガラスパネル４の取付け状態における安定性を高めている。
【００３３】
係合片７ｅは、下部縁材７の水平板７ａの後端から下方に向けて突設され、下方に向けて巾木３０側に漸次減縮した形状をなし、後述する下部支持部材３２の被係合部３２０ｅ（下部載置部）に係合可能になっている。言い換えれば、係合片７ｅの前方側には、下方に向けて前方側から後方側へ傾斜する傾斜面７０ｂが形成されている。また、係合片７ｅの後方側には、パネル本体４ｂの後面４ｄと面一となる垂直面７０ａが形成されている。
【００３４】
また、下部縁材７の水平板７ａの長手方向及び前後方向の寸法をパネル本体４ｂの下端面４ｅの長手方向及び前後方向の寸法とそれぞれ略同寸にすることにより、下部縁材７の水平板７ａとパネル本体４ｂの下端面４ｅの間の接着面積が大きくなり、両面接着テープあるいはホットメルト接着剤５による接着力を高められるようになっている。
【００３５】
次いで、上部パネル支持体２について詳しく説明する。図３及び図４に示されるように、天井Ｒには、側面視下向きコ字状をなす笠木２０が複数のボルト（図示省略）により固定されている。笠木２０の内側下面２０ａには、複数の吊支金具２１，２１，…（図３では、１つの吊支金具２１のみを示している）がボルトによって笠木２０と共締めされて固定されている。各吊支金具２１の下面板２１ａには、高さ調整用のアジャスタボルト２１ｂが螺合されている。笠木２０の下方から外嵌される上部支持部材２２は、複数のアジャスタボルト２１ｂ，２１ｂ，…（図３では、１本のアジャスタボルト２１ｂのみを示している）の下端に設けられる受支板２１ｃ，２１ｃ，…（図３では、１枚の受支板２１ｃのみを示している）により、高さ調整可能に吊支されている。尚、本実施例における上部パネル支持体２は、笠木２０と上部支持部材２２を合わせたものとなっている。さらに尚、上部パネル支持体２を構成する笠木２０と上部支持部材２２は、アルミ合金製の押出成形品である。
【００３６】
上部支持部材２２は、笠木２０に下方から外嵌される嵌合部２２ａと、笠木２０の下方に形成され各アジャスタボルト２１ｂの下端に設けられる受支板２１ｃにより支持される下方支持板２２ｂと、笠木２０の前後の側板２０ｂの外面側にそれぞれ形成される前方支持部２２ｃ及び後方支持部２２ｃ’（支持部材）と、から構成されている。尚、前方支持部２２ｃ及び後方支持部２２ｃ’の構造は、同一構成であるため、前方支持部２２ｃの構造について説明し、後方支持部２２ｃ’の構造についての説明を省略する。
【００３７】
嵌合部２２ａは、笠木２０の下方に形成される下方支持板２２ｂと、下方支持板２２ｂの前後端から笠木２０の前後の側板２０ｂ，２０ｂ’の外面に沿ってそれぞれ上方に向けて延びる起立板２２０ａ，２２０ａ’（起立片）と、から構成される側面視上向きコ字状構造の上向き開放部分のことであり、笠木２０を下方から覆うように外嵌される。
【００３８】
下方支持板２２ｂは、笠木２０の下方に亘って形成され、前後中央に上方に凹んだ凹部２２０ｂを備え、該凹部２２０ｂに対して後述する上面カバー部材１０ａが係止されることにより、上部パネル支持体２の内部構造を隠せるようになっている。
【００３９】
前方支持部２２ｃは、下方支持板２２ｂの前端から笠木２０の前方側の側板２０ｂの外面に沿って上方に向けて延びる起立板２２０ａと、起立板２２０ａの上端から前方に向けて延びる上板２２０ｃと、上板２２０ｃの前端から下方に向けて延び起立板２２０ａと対向する対向板２２０ｄ（対向片）と、から主に構成され、起立板２２０ａと上板２２０ｃと対向板２２０ｄの３つの板から側面視下向き略コ字状の上部挿入溝２２ｄが形成されている。
【００４０】
上部挿入溝２２ｄは、上部縁材６の挿入片６１ｂが挿入可能となっており、上部挿入溝２２ｄの前後方向の寸法は、挿入片６１ｂの前後方向の寸法よりも大きくなっているとともに、上部挿入溝２２ｄの上下方向の寸法は、挿入片６１ｂの上下方向の寸法よりも大きくなっている。
【００４１】
また、対向板２２０ｄの下端は、起立板２２０ａの下端よりも上方に形成されている。言い換えれば、上部挿入溝２２ｄの開口部２２１（開口下端部）は、起立板２２０ａの下端よりも上方に形成されている。
【００４２】
また、対向板２２０ｄには、前方側に向けて並行して延出する上方水平板２２０ｅと下方水平板２２０ｆが形成されている。下方水平板２２０ｆの上面側には、係止部１００ａが形成され、上方水平板２２０ｅと下方水平板２２０ｆの間に後述する前面カバー部材１０ｂの係止片１０４が係止されることにより前面カバー部材１０ｂが取付けられ、上部パネル支持体２に対するガラスパネル４の取付け構造を隠せるようになっている。
【００４３】
次いで、下部パネル支持体３について詳しく説明する。図３及び図５に示されるように、床面Ｆには、側面視上向きコ字状をなす巾木３０が複数のアンカーボルト（図示省略）により固定されている。巾木３０の内側上面３０ａには、複数の支持金具３１，３１，…（図３では、１つの支持金具３１のみを示している）がアンカーボルトによって巾木３０と共締めされて固定されている。各支持金具３１の上面板３１ａには、高さ調整用のアジャスタボルト３１ｂが螺合されている。巾木３０の上方から外嵌される下部支持部材３２は、複数のアジャスタボルト３１ｂ，３１ｂ，…（図３では、１本のアジャスタボルト３１ｂのみを示している）の上端に設けられる受け板３１ｃ，３１ｃ，…（図３では、１枚の受け板３１ｃのみを示している）により、高さ調整可能に支持されている。尚、本実施例における下部パネル支持体３は、巾木３０と下部支持部材３２を合わせたものとなっている。さらに尚、下部パネル支持体３を構成する巾木３０と下部支持部材３２は、アルミ合金製の押出成形品である。
【００４４】
下部支持部材３２は、巾木３０を上方から覆うように外嵌される嵌合部３２ａと、巾木３０上方に形成され各アジャスタボルト３１ｂの上端に設けられる受け板３１ｃにより支持される上方支持板３２ｂと、巾木３０の前後の側板３０ｂ，３０ｂ’の外面側にそれぞれ配置される前方支持部３２ｃ及び後方支持部３２ｃ’と、から構成されている。尚、前方支持部３２ｃ及び後方支持部３２ｃ’の構造は、同一構成であるため、前方支持部３２ｃの構造について説明し、後方支持部３２ｃ’の構造についての説明を省略する。
【００４５】
嵌合部３２ａは、巾木３０の上方に形成される上方支持板３２ｂと、上方支持板３２ｂの前後端から巾木３０の前後の側板３０ｂ，３０ｂ’の外面に沿ってそれぞれ下方に向けて延びる起立板３２０ａ，３２０ａ’と、から構成される側面視下向きコ字状構造の下向き開放部分のことであり、巾木３０を上方から覆うように外嵌される。
【００４６】
上方支持板３２ｂは、巾木３０の上方に亘って形成され、前後中央に下方に凹んだ凹部３２０ｂを備え、該凹部３２０ｂに対して後述する下面カバー部材１０ｃが係止されることにより、下部パネル支持体３の内部構造を隠せるようになっている。
【００４７】
前方支持部３２ｃは、上方支持板３２ｂの前端から巾木３０の前方側の側板３０ｂの外面に沿って下方に向けて延びる起立板３２０ａと、起立板３２０ａの下端から前方に向けて延びる水平板３２０ｃと、から主に構成され、水平板３２０ｃの上面側には、前述した下部縁材７の係合片７ｅと係合する被係合部３２０ｅ（下部載置部）と、当接片７ｃと当接する当接面３２０ｆが形成される。
【００４８】
被係合部３２０ｅは、起立板３２０ａの前面側に相当する垂直面３２１と、起立板３２０ａの下端から前方側に向けて斜め上方向に傾斜する傾斜面３２２と、から構成されている。言い換えれば、被係合部３２０ｅは、前方側から下方に向けて巾木３０側（後方側）に漸次減縮した形状をなし、前述したガラスパネル４の係合片７ｅと係合可能になっている。また、被係合部３２０ｅに係合片７ｅが係合されると、被係合部３２０ｅの傾斜面３２２は、係合片７ｅの傾斜面７０ｂと当接し、被係合部３２０ｅの垂直面３２１は、係合片７ｅの垂直面７０ａと当接した状態となっているため、ガラスパネル４が浮き上がる等して前方側に移動した場合であっても、被係合部３２０ｅの傾斜面３２２の傾斜に沿って係合片７ｅが滑り、被係合部３２０ｅの垂直面３２１と係合片７ｅの垂直面７０ａとが当接した状態に戻るように案内される。
【００４９】
当接面３２０ｆは、被係合部３２０ｅの前方側に形成され、前述したガラスパネル４の当接片７ｃが上方から当接することにより、ガラスパネル４から下方向にかかる荷重と、ガラスパネル４が前方側に倒れる方向にかかる荷重を支持できるようになっており、ガラスパネル４の取付け状態における安定性を高めている。
【００５０】
また、被係合部３２０ｅ及び当接面３２０ｆの下方には、下方に向けて延びる垂下板３２０ｄが形成され、垂下板３２０ｄには、前方側に向けて並行して延出する上方水平板３２０ｇと下方水平板３２０ｈが形成されている。上方水平板３２０ｇの下面側には、係止部１００ｂが形成され、上方水平板３２０ｇと下方水平板３２０ｈの間に後述する前面カバー部材１０ｂの係止片１０４が係止されることにより前面カバー部材１０ｂが取付けられ、下部パネル支持体３とガラスパネル４の取付け構造を隠せるようになっている。
【００５１】
さらに、下方水平板３２０ｈの後端から後方側に向けて延び巾木３０の側板３０ｂに当接する上方支持板３２０ｉと、下方水平板３２０ｈの前端から後下方に向けて傾斜しながら延び巾木３０の側板３０ｂに当接する下方支持板３２０ｊが形成されており、それぞれが巾木３０の側板３０ｂに当接することにより、下部パネル支持体３の強度を高めている。
【００５２】
次いで、上部パネル支持体２及び下部パネル支持体３に対するガラスパネル４の取付け方法について説明する。図６（ａ）に示されるように、まず、ガラスパネル４の上方を上部パネル支持体２側に傾斜させた状態で持ち、ガラスパネル４の上端に固定された上部縁材６の挿入片６１ｂを上部パネル支持体２の前方支持部２２ｃに設けられた上部挿入溝２２ｄに挿入する。このとき、ガラスパネル４に設けられた挿入片６１ｂの後方側の垂直面６１ｃ及びパネル本体４ｂの後面４ｄを前方支持部２２ｃの起立板２２０ａに当接させて上方に向けて滑らせることにより、上方に位置する上部挿入溝２２ｄへ挿入片６１ｂを案内させることができるので、上部挿入溝２２ｄに対する挿入片６１ｂの挿入を安全に且つ確実に行うことができる。
【００５３】
次に、図６（ｂ）に示されるように、上部挿入溝２２ｄに挿入片６１ｂが挿入された状態で当該箇所を中心としてガラスパネル４の下端を下部パネル支持体３に近接させるように回動させ、ガラスパネル４の下端を略水平に移動させる。このとき、ガラスパネル４を持ち上げ、上部挿入溝２２ｄに挿入片６１ｂの略全体が挿入されている状態でガラスパネル４を回動させることにより、パネル本体４ｂの下端に固定された下部縁材７が下部パネル支持体３の前方側に突出している被係合部３２０ｅ及び当接面３２０ｆに接触することなく、ガラスパネル４の下端を下部パネル支持体３に近接させることができ、ガラスパネル４の回動を安全かつ確実に行うことができる。
【００５４】
最後に、図６（ｃ）に示されるように、パネル本体４ｂの後面４ｄを上部パネル支持体２の前方支持部２２ｃに設けられた起立板２２０ａ及び下部パネル支持体３の前方支持部３２ｃに設けられた起立板３２０ａに当接させた状態で真下に落とし込むことにより、図６（ｄ）に示されるように、ガラスパネル４の下端に設けられた係合片７ｅを前方支持部３２ｃの被係合部３２０ｅに係合させることができる。また、同時に、ガラスパネル４の下端に設けられた当接片７ｃを下部パネル支持体３の前方支持部３２ｃに設けられた当接面３２０ｆに上方から当接させることができる。このとき、被係合部３２０ｅを構成する垂直面７０ａの下端から上部挿入溝２２ｄの開口部２２１までの上下寸法Ｌ２よりもガラスパネル４の上下寸法Ｌ１（上部縁材６の挿入片６１ｂの上端から下部縁材７の係合片７ｅの下端までの上下寸法）が大きくなっており、上部挿入溝２２ｄに挿入片６１ｂが挿入された状態が保持されている（図３参照）。
【００５５】
これにより、上部パネル支持体２及び下部パネル支持体３に対するガラスパネル４の取付けが完了し、下部パネル支持体３の前方支持部３２ｃに設けられた被係合部３２０ｅにガラスパネル４の下端に設けられた係合片７ｅが係合された状態で、同時に上部パネル支持体２の前方支持部２２ｃに設けられた上部挿入溝２２ｄに挿入片６１ｂが挿入された状態とすることができ、且つパネル本体４ｂの後面４ｄと、挿入片６１ｂの垂直面６１ｃと、係合片７ｅの垂直面７０ａと、を上部支持部材２２の起立板２２０ａ及び下部支持部材３２の起立板３２０ａに当接させた状態とすることができるので、ガラスパネル４を上部パネル支持体２及び下部パネル支持体３に対して安定して保持させることができる。
【００５６】
以上説明したように、本実施例における間仕切パネル装置１は、ガラスパネル４は、矩形のパネル本体４ｂと、パネル本体４ｂの上端面４ｃに取着された上部縁材６と、パネル本体４ｂの下端面４ｅに取着された下部縁材７と、を備え、上部縁材６には、上部パネル支持体２に形成される上部挿入溝２２ｄに下方から挿入される挿入片６１ｂが設けられており、下部縁材７には、下部パネル支持体３に形成される被係合部３２０ｅに上方から係合される係合片７ｅが設けられており、下部パネル支持体３に設けられた被係合部３２０ｅの下端から上部挿入溝２２ｄの開口部２２１までの上下寸法Ｌ２よりもガラスパネル４の上下寸法Ｌ１が大きくなっているため、ガラスパネル４に設けられた挿入片６１ｂを上部挿入溝２２ｄに対して斜め下から挿入し、挿入片６１ｂを上部挿入溝２２ｄに挿入したまま当該箇所を中心としてガラスパネル４を回動させ、ガラスパネル４の下端に設けられた係合片７ｅを略水平に移動させた後、真下に落とし込み、被係合部３２０ｅに係合させてガラスパネル４を載置することにより、挿入片６１ｂが上部挿入溝２２ｄ内に挿入された状態を保ちながらガラスパネル４を立て掛けることができるので、施工過程において容易にガラスパネル４の取付け施工を行うことができる。また、上述の寸法関係（Ｌ１＞Ｌ２）であるため、ガラスパネル４を上部パネル支持体２及び下部パネル支持体３に取付けた状態でガラスパネル４が前後に倒れることがない。
【００５７】
また、上部挿入溝２２ｄを構成する対向板２２０ｄの下端は、起立板２２０ａの下端よりも上方に形成されている（上部挿入溝２２ｄの開口部２２１は、起立板２２０ａの下端よりも上方に形成されている）ため、ガラスパネル４に設けられた挿入片６１ｂを前方支持部２２ｃの起立板２２０ａに当接させながら上方に移動させることにより上部挿入溝２２ｄの開口部２２１に下方から挿入片６１ｂを挿入させることができるので、上部挿入溝２２ｄに挿入片６１ｂを挿入させるための位置合わせと挿入の作業が容易になり、パネル取付けの施工性を向上させることができる。
【００５８】
また、挿入片６１ｂの後方側の垂直面６１ｃがパネル本体４ｂの後面４ｄと面一になるように設けられているため、挿入片６１ｂの垂直面６１ｃを前方支持部２２ｃの起立板２２０ａに当接させながら上方に移動させることによりガラスパネル４が垂直に立ち上がるまでパネル本体４ｂが起立板２２０ａに接触することがないので、接触によるパネル本体４ｂの破損を防ぐことができるとともに、ガラスパネル４が垂直に立ち上がった状態で挿入片６１ｂの垂直面６１ｃ及びパネル本体４ｂの後面４ｄを起立板２２０ａに当接させ、起立板２２０ａに沿ってガラスパネル４を真下に落とし込むことにより、ガラスパネル４の下端に設けられた係合片７ｅを被係合部３２０ｅに係合させることができるので、ガラスパネル４の取付け作業が容易になり、パネル取付けの施工性を向上させることができる。
【００５９】
また、ガラスパネル４の下端において、係合片７ｅの後方側の垂直面７０ａがパネル本体４ｂの後面４ｄと面一になるように設けられているため、ガラスパネル４が垂直に立ち上がった状態で、ガラスパネル４の下端に設けられた係合片７ｅの垂直面７０ａ及びパネル本体４ｂの後面４ｄを前方支持部２２ｃの起立板３２０ａに当接させ、起立板３２０ａに沿ってガラスパネル４を真下に落とし込むことにより、ガラスパネル４の下端に設けられた係合片７ｅを被係合部３２０ｅに係合させることができるので、ガラスパネル４の取付け作業が容易になり、パネル取付けの施工性を向上させることができる。
【００６０】
また、ガラスパネル４が取付けられた状態において、ガラスパネル４と笠木２０及び巾木３０との距離が近くなっているため、間仕切パネル装置１の前後寸法の変更幅（笠木２０及び巾木３０の前後寸法の変更幅）を大きく取ることが可能となり、例えば、間仕切パネル装置１の前後寸法を小さくした場合であっても、笠木２０及び巾木３０の前後寸法をできる限り大きくして下部パネル支持体３の支持強度を高めることができ、安定性が高まるので、間仕切パネル装置１の設計自由度が高くなっている。
【００６１】
また、ガラスパネル４に設けられる挿入片６１ｂの長手方向の寸法がパネル本体４ｂの上端面４ｃの長手方向の寸法よりも短寸であり、上部パネル支持体２に対してビス等で固定されていないため、ガラスパネル４の左右への動きが許容されており、施工時におけるガラスパネル４の取付け位置の微調整等を容易に行うことができる。
【００６２】
また、上部パネル支持体２及び下部パネル支持体３の外面の明度は、上部縁材６及び下部縁材７や各種カバー部材（上面カバー部材１０ａ、前面カバー部材１０ｂ、下面カバー部材１０ｃ）の明度に比べて低くなっているため、ガラスパネル４が取付けられた状態において、上部パネル支持体２及び下部パネル支持体３のガラスパネル４を通して見える部分の明度が低くなり、上部パネル支持体２及び下部パネル支持体３の構造の視認性を低下させることができ、美観を高めることができる。尚、図４及び図５に示されるように、ガラスパネル４を通して見える上部支持部材２２の太線αで示される領域と下部支持部材３２の太線βで示される領域のみ明度を低くしてもよい。
【００６３】
また、前述した上面カバー部材１０ａ、前面カバー部材１０ｂ、下面カバー部材１０ｃは、それぞれ上部パネル支持体２または下部パネル支持体３の所定位置に取付けられ、内部構造やガラスパネル４の取付け構造が外部に露出しないように隠し、美観を向上させている。さらに、上面カバー部材１０ａ、前面カバー部材１０ｂ、下面カバー部材１０ｃは、それぞれ上部パネル支持体２及び下部パネル支持体３に対して取付けられるガラスパネル４の支持剛性を高める役割も果たしている。尚、上面カバー部材１０ａと下面カバー部材１０ｃは、同一構成であるため、下面カバー部材１０ｃについて説明し、上面カバー部材１０ａについての説明を省略する。さらに尚、間仕切パネル装置１の前後の上部パネル支持体２及び下部パネル支持体３に取付けられる前面カバー部材１０ｂ，１０ｂ，…は、同一構成であるため、前方側の下部パネル支持体３に取付けられる前面カバー部材１０ｂについて説明し、他の前面カバー部材１０ｂについての説明を省略する。
【００６４】
図３及び図５に示されるように、下面カバー部材１０ｃは、前後に取付けられるガラスパネル４，４の間で前後方向に延びる装飾板１０１と、下部支持部材３２を構成する上方支持板３２ｂに設けられた凹部３２０ｂの長手方向に沿って前後に形成される係止部１００ｃ，１００ｃ’に対して係止される係止片１０２，１０２’と、から主に構成されている。尚、上面カバー部材１０ａ及び下面カバー部材１０ｃは、アルミ合金製の押出成形品である。
【００６５】
係止片１０２，１０２’は、装飾板１０１の下面側から下方に向けてそれぞれ前後に離間するように傾斜して延びており、係止片１０２，１０２’がそれぞれ近接するように撓らせながら係止部１００ｃ，１００ｃ’と係止させることによって、係止片１０２，１０２’の反力により係止部１００ｃ，１００ｃ’に強固に係止され、上下方向への応力に対して下面カバー部材１０ｃが外れ難いようになっている。
【００６６】
装飾板１０１の前後端には、下方に向けて延び上方支持板３２ｂに当接する前方当接部１０１ａ及び後方当接部１０１ｂが形成されている。前方当接部１０１ａ及び後方当接部１０１ｂは、前後に取付けられるガラスパネル４，４に対してもパネル本体４ｂ，４ｂの後面４ｄ，４ｄにそれぞれ当接するようになっており、下部パネル支持体３とともにガラスパネル４に対する当接面積を増やし、ガラスパネル４の支持剛性を高めている。
【００６７】
図３及び図５に示されるように、前方側の下部パネル支持体３に取付けられる前面カバー部材１０ｂは、上下方向に延びる装飾板１０３と、装飾板１０３の下方から後方に並行して延び下部パネル支持体３に設けられた上方水平板３２０ｇと下方水平板３２０ｈの間に嵌合される長片の係止片１０４と短片の当接片１０５と、から主に構成されている。尚、前面カバー部材１０ｂは、アルミ合金製の押出成形品である。
【００６８】
係止片１０４は、一部が下方水平板３２０ｈに対して上方から当接するとともに、斜め上方向に傾斜して延びる先端が上方水平板３２０ｇの下面側に形成された係止部１００ｂに対して係止されるようになっている。また、当接片１０５は、上方水平板３２０ｇに対して下方から圧着されるようになっており、これにより生じる反力により対向する係止片１０４を下方水平板３２０ｈに対して上方から押付けることができ、前面カバー部材１０ｂを下部パネル支持体３に対して安定して取付けることができるようになっている。
【００６９】
また、装飾板１０３の上端には、後方に向けて延びてガラスパネル４に当接する当接部１０３ａが形成されており、下部パネル支持体３とともにガラスパネル４を前後から挟持するようにして支持し、ガラスパネル４の支持剛性を高めている。また、装飾板１０３は、後面側の一部が下部縁材７に設けられる支持片７ｂに対して前方から当接しており、下部パネル支持体３とともにガラスパネル４を前後から挟持するようにして支持し、ガラスパネル４の支持剛性を高めている。さらに、当接部１０３ａは、下部縁材７の支持片７ｂの上方に所定距離離れた位置に配置されており、ガラスパネル４が浮き上がった際に当接部１０３ａが下部縁材７の支持片７ｂと接触することで、ガラスパネル４の浮き上がりを抑制できるようになっている。
【００７０】
また、係止片１０４の下面側には、下方水平板３２０ｈの前端と当接する当接片１０６が形成されており、ガラスパネル４に対して後方側から水平方向に応力が働いた場合に、当接片１０６が下方水平板３２０ｈの前端によって押さえられることにより、前面カバー部材１０ｂが動いて外れないようになっている。
【００７１】
尚、本実施例における下面カバー部材１０ｃは、装飾板１０１がパンチングパネルで構成されてもよい。これによれば、間仕切パネル装置１内の埃や塵等がパンチングパネルに形成された複数の貫通孔から下方に落ちて埃や塵等が装飾板１０１上に溜まり難くなり、美観を維持できるとともに、間仕切パネル装置１内における音の反響を抑え、吸音性を高めることができる。
【００７２】
また、本実施例における上部縁材６は、基部材６０と挿入部材６１がボルト８とナット９により締結された態様として説明したが、本発明はこれに限定されるものではなく、例えば、側面視クランク形状をなし、挿入片６１ｂは、上方に向けて立ち上がった部分を切欠されることにより形成される等、自由に構成されてよい。
【００７３】
また、本実施例におけるガラスパネル４は、パネル本体４ｂの上端面４ｃ及び下端面４ｅに両面接着テープあるいはホットメルト接着剤５により上部縁材６及び下部縁材７がそれぞれ固定された態様として説明したが、本発明はこれに限定されるものではなく、ガラスパネル４に下部縁材７は設けなくてもよく、この場合には、パネル本体４ｂの下端面４ｅがガラスパネル４の下端部となる。
【実施例２】
【００７４】
次に、実施例２に係る間仕切パネル装置につき、図７を参照して説明する。実施例２では、片側のみガラスパネル４が取付けられた、いわゆる片面ガラスパネル構造について説明する。尚、前記実施例に示される構成部分と同一構成部分に付いては同一符号を付して重複する説明を省略する。
【００７５】
図７に示されるように、実施例２における間仕切パネル装置４００は、天井Ｒに固定される上部パネル支持体２と、床面Ｆに固定される下部パネル支持体３と、の間に１枚のガラスパネル４が取付けられた構造になっている。尚、ガラスパネル４は、間仕切パネル装置４００の前方側に取付けられているものとする。
【００７６】
上部パネル支持体２及び下部パネル支持体３の後方側には、それぞれ上面カバー部材４０１と下面カバー部材４０２が取付けられている。尚、上部パネル支持体２に取付けられる上面カバー部材４０１と、下部パネル支持体３に取付けられる下面カバー部材４０２は、同一構成であるため、下部パネル支持体３に取付けられる下面カバー部材４０２について説明し、上部パネル支持体２に取付けられる上面カバー部材４０１についての説明を省略する。
【００７７】
下面カバー部材４０２は、側面視略Ｌ字状の装飾板４０２ａと、下部支持部材３２に設けられた凹部３２０ｂに形成される係止部１００ｃに対して係止される係止片４０２ｂと、下部パネル支持体３に設けられた上方水平板３２０ｇと下方水平板３２０ｈの間に嵌合される長片の係止片４０２ｃと短片の当接片４０２ｄと、から構成されている。尚、上面カバー部材４０１及び下面カバー部材４０２は、アルミ合金製の押出成形品である。
【００７８】
下面カバー部材４０２は、下部パネル支持体３の所定位置に取付けられることにより、前記実施例における、前面カバー部材１０ｂ及び下面カバー部材１０ｃと同様の役割を果たし、内部構造やガラスパネル４の取付け構造が外部に露出しないように隠し、美観を向上させるとともに、上部パネル支持体２及び下部パネル支持体３に対して取付けられるガラスパネル４の支持剛性を高めることができる。
【実施例３】
【００７９】
次に、実施例３に係る間仕切パネル装置につき、図８及び図９を参照して説明する。実施例３は、実施例１，２の間仕切パネル装置のガラスパネル４をさらに外れにくくするものである。尚、前記実施例に示される構成部分と同一構成部分に付いては同一符号を付して重複する説明を省略する。
【００８０】
図８（ａ）に示されるように、上部パネル支持体２と下部パネル支持体３に対してガラスパネル４が取付けられた状態において、上部縁材６と上部支持部材２２との間にスペーサ５０１を介在させることにより、上部挿入溝２２ｄに挿入された挿入片６１ｂの上下方向への移動が規制され、ガラスパネル４の浮き上がりを小さくすることができるため、ガラスパネル４が外れることがなくなり、耐震性を向上させることができる。尚、スペーサ５０１の素材は、アルミ合金等の金属や、ゴムや圧縮バネ等の弾性体であってもよい。また、スペーサを配置する位置を図８（ｂ）に示されるスペーサ５０２の位置としてもよく、両者を併用してもよい。
【００８１】
例えば、図８（ａ）に示されるように、挿入部材６１の挿入片６１ｂの上方にスペーサ５０１を直接介在させることにより、上部挿入溝２２ｄに挿入された挿入片６１ｂの上下方向への移動範囲を直接的に小さくするようにしてもよい。また、挿入部材６１の長手方向の寸法がパネル本体４ｂの上端面４ｃの長手方向の寸法よりも短寸であるため、挿入片６１ｂの側面側から上部挿入溝２２ｄにスペーサ５０１を挿入させて介在させやすくなっている。
【００８２】
また、図８（ｂ）に示されるように、挿入部材６１の基部６１ａの上方にスペーサ５０２を介在させることにより、基部６１ａと下方水平板２２０ｆとの間の空間が小さくなり、ガラスパネル４が浮き上がる範囲を小さくするようにしてもよい。尚、スペーサ５０２は、基部６１ａ側に設けられてもよいし、下方水平板２２０ｆ側に設けられてもよい。
【００８３】
次いで、他の具体例として、スペーサ５０３について説明する。図９（ａ）に示されるように、スペーサ５０３は、パネル本体４ｂの上端面４ｃに固定される側面視略Ｌ字状の基部材５０４と、基部材５０４の上方に取付けられ、上部挿入溝２２ｄに挿入される挿入片５０５ｂを備える側面視Ｌ字状の挿入部材５０５と、から構成される上部縁材６に対して取付けられる。
【００８４】
基部材５０４は、パネル本体４ｂの上端面４ｃに両面接着テープあるいはホットメルト接着剤５により固定される水平板５０４ａと、水平板５０４ａの前端からパネル本体４ｂに沿って下方に向けて所定距離延びる垂下板５０４ｂと、を有する。
【００８５】
水平板５０４ａの上面側中央には、上方に向けて延びる円柱状の係合突起５０４ｃが形成されており、係合突起５０４ｃの前後は、面一となっており、長手方向にのみ上端に向けて漸次拡張した係合部５０４ｄが形成されている。
【００８６】
挿入部材５０５は、基部材５０４の水平板５０４ａに直接固定される基部５０５ａと、基部５０５ａの後端から上方に向けて延びる挿入片５０５ｂと、を有する。また、基部５０５ａの上下寸法は、基部材５０４の係合突起５０４ｃの上下寸法よりも小さくなっている。
【００８７】
基部５０５ａには、下方に向けて漸次減縮しながら上下方向に貫通する被係合部５０５ｃが形成されており、挿入部材５０５を基部材５０４に対して上下方向を軸として９０度回転させた状態で被係合部５０５ｃに係合突起５０４ｃを挿入可能となっている。挿入後に挿入部材５０５を９０度回転させて元の位置に戻すことにより、挿入部材５０５が上方に向けて動いても係合突起５０４ｃの係合部５０４ｄが被係合部５０５ｃに引っ掛り、挿入部材５０５が抜けないようになっている。また、基部５０５ａの上面側には、後述するスペーサ５０３の係止片５０３ｅが係止される係止溝５０５ｄ，５０５ｄが形成されており、基部５０５ａの側面側には、斜め下に傾斜する傾斜面５０５ｅ，５０５ｅがそれぞれ形成されている。
【００８８】
スペーサ５０３は、挿入部材５０５の基部５０５ａを上下から挟持可能な上板５０３ａと下板５０３ｂを有する側面視略コ字状をなし、下板５０３ｂの開口側には、係合突起５０４ｃの前後寸法と同寸離間する挟持片５０３ｃ，５０３ｃが並行して延びている。挟持片５０３ｃ，５０３ｃの先端には傾斜面５０３ｄ，５０３ｄがそれぞれ形成されており、挿入部材５０５の側面側に形成された傾斜面５０５ｅに案内されて挿入部材５０５の下方に挟持片５０３ｃ，５０３ｃが挿入されやすくなっている。また、上板５０３ａの先端下方には、基部５０５ａの上面側に形成された係止溝５０５ｄに係止される係止片５０３ｅが形成されており、挿入部材５０５の基部５０５ａを挟持した状態でスペーサ５０３を所定位置に固定することができる。このとき、挟持片５０３ｃ，５０３ｃの間に基部材５０４の係合突起５０４ｃが挟持され前後方向に固定されるとともに、スペーサ５０３の下板５０３ｂの上下寸法分だけ挿入部材５０５が上方に持ち上げられ、係合突起５０４ｃの係合部５０４ｄが挿入部材５０５の被係合部５０５ｃに係合され上下方向に固定されるので、スペーサ５０３によって、基部材５０４と挿入部材５０５が強固に固定された状態とすることができる。尚、挿入部材５０５の基部５０５ａとスペーサ５０３の下板５０３ｂの上下寸法の合計は、基部材５０４の係合突起５０４ｃの上下寸法と略同寸になっている。
【００８９】
これによれば、上部パネル支持体２と下部パネル支持体３にガラスパネル４が取付けられた状態で、スペーサ５０３が基部材５０４と挿入部材５０５の間に挿入されることにより、スペーサ５０３の下板５０３ｂの上下寸法分だけ挿入部材５０５が上方に持ち上げられた状態で強固に固定でき、挿入部材５０５の基部５０５ａと下方水平板２２０ｆとの間の空間を小さくし、ガラスパネル４の浮き上がる範囲を小さくすることができるため、ガラスパネル４が外れることがなくなり、耐震性を向上させることができる。
【００９０】
以上、本発明の実施例を図面により説明してきたが、具体的な構成はこれら実施例に限られるものではなく、本発明の要旨を逸脱しない範囲における変更や追加があっても本発明に含まれる。
【００９１】
例えば、前記実施例では、パネル本体４ｂとして金属製パネルや木製パネル等が使用されてもよい。
【符号の説明】
【００９２】
１                間仕切パネル装置
２                上部パネル支持体（上部パネル支持体）
３                下部パネル支持体
４                ガラスパネル（パネル体）
４ｂ              パネル本体（板材）
６                上部縁材
７                下部縁材
７ｄ              当接面
７ｅ              係合片
２０              笠木（上部パネル支持体）
２２              上部支持部材（上部パネル支持体）
２２ｃ            前方支持部（支持部材）
２２ｄ            上部挿入溝（開口部）
３０              巾木（下部パネル支持体）
３２              下部支持部材
３２ｃ            前方支持部
６０              基部材
６１              挿入部材
６１ｂ            挿入片（立上がり片）
６１ｃ            垂直面
７０ａ            垂直面
７０ｂ            傾斜面
２２０ａ          起立板（起立片）
２２０ｄ          対向板（対向片）
２２１            開口部（開口下端部）
３２０ａ          起立板
３２０ｅ          被係合部（下部載置部）
３２０ｆ          当接面
３２０ｇ          上方水平板
３２０ｈ          下方水平板
３２１            垂直面
３２２            傾斜面
５０１〜５０３    スペーサ
Ｌ１              ガラスパネル（パネル体）の上下寸法
Ｌ２              下部載置部から開口下端部までの上下寸法
【図１】
2017089229.tif 000003
【図２】
2017089229.tif 000004
【図３】
2017089229.tif 000005
【図４】
2017089229.tif 000006
【図５】
2017089229.tif 000007
【図６】
2017089229.tif 000008
【図７】
2017089229.tif 000009
【図８】
2017089229.tif 000010
【図９】
2017089229.tif 000011